(57)【特許請求の範囲】
【請求項１】
物体を気体によって輸送するダクトの途中に設置され、スライド板によりダクト内の通路の開度を調節するスライドダンパにおいて、スライドダンパの設置位置をダクトの概ね水平な部分とし、前記スライド板のスライド方向を概ね水平方向とし、スライド板の先端部の下側にその隅部を切り欠いた切欠きを設け、このスライド板が前進して、その先端部で前記通路の一部を閉塞するときに、スライド板の先端縁および切欠き縁と通路の周壁とにより、あるいはスライド板の切欠き縁と通路の周壁とにより通路の開放部が形成され、ダクト下部を移動する物体が前記開放部を通過しやすいようにしたことを特徴とするスライドダンパ。
【発明の詳細な説明】
【０００１】
【発明の属する技術分野】
この発明は、物体を気体によって輸送するダクトの気体流量を調整するためのスライドダンパに関する。
【０００２】
【従来技術】
物体を気体によって輸送するダクトは、紙、プラスチックシート、発泡プラスチック等の浮遊性軽量物の輸送用や風力式選別機等に用いられている。これらの物体輸送用ダクトは、排出端にブロワ等の負圧源を接続し、負圧源を作動させることによって生じるダクト内の気体の流れを利用して物体を輸送するものが多い。
【０００３】
このようなダクトでは、物体を吸引する力を調整するために、ダクト内の通路の開度を変えて気体の流量を調節するスライドダンパをダクトの途中に設けることがあり、これらのスライドダンパは、天井付近のダクトに取り付けられることが多い。例えば、風力式選別機では、その排出側に複数の物体輸送用ダクトを連結し、各ダクトのスライドダンパの開度を変えることにより、各ダクト毎の吸引力を異なるものとし、選別された各物体の耐吸引抵抗の差を利用して、ダクト別に各物体を選別排出するようにしている。
【０００４】
上述した物体輸送用ダクトでは物体と気体の通路が同じなので、スライドダンパで通路の一部を閉塞することにより、物体がスライドダンパに遮られて滞留する恐れがある。この滞留は、スライドダンパの開度が小さいときに生じる可能性が高い。スライドダンパの開度が小さいときは、輸送物体に作用する吸引力も小さいので、ダクトの水平部分では、重力により輸送物体はダクト内の下部を移動する。一方、ダクトの垂直部分では、重力の作用方向が輸送物体の移動方向と同じになるので、ダクト内での輸送物体の通路は一定しない。従って、スライドダンパをダクトの水平部分に設け、その開度を小さくしたときにダクト内通路の下部を開放できるスライドダンパを採用すれば、物体のダクト内での滞留を防止することができる。
【０００５】
ダクトの水平部分に設けられたスライドダンパとしては、例えば、実開昭５９−１６８０６９号公報に開示されたものがある。このスライドダンパは、ダクト内の流体の流量を微小領域で調整するためのものであり、図５および図６に示す実施形態では、弁体（スライド板）５１を弁箱５２に取り付けられた２枚の環状の弁座５３の間に挟み込み、弁体５１に取り付けられた弁棒５４に螺合されたハンドル５５を回すことにより、弁体５１を上下方向にスライドするとともに、弁体５１の先端部に逆Ｖ字形の切欠き５６を形成し、流体流量が少ない領域で流量を微調整するようになっている。
【０００６】
上述したスライドダンパは、物体輸送用ダクトの途中に設けても物体が滞留する恐れはないが、ダクトの上方に弁体５１を上下方向にスライドするための取付けスペースを必要とするため、天井付近のダクトは、ダクトと天井との間に、その取付けスペースを確保して配設しなければならない問題がある。
【０００７】
【発明が解決しようとする課題】
そこで、この発明の課題は、少流量時にも輸送物体のダクト内での滞留を発生させず、かつダクトの上方に取付けスペースを必要としないスライドダンパを提供することである。
【０００８】
【課題を解決するための手段】
上記の課題を解決するため、この発明は、物体を気体によって輸送するダクトの途中に設置され、スライド板によりダクト内の通路の開度を調節するスライドダンパにおいて、スライドダンパの設置位置をダクトの概ね水平な部分とし、前記スライド板のスライド方向を概ね水平方向とし、スライド板の先端部の下側にその隅部を切り欠いた切欠きを設け、このスライド板が前進して、その先端部で前記通路の一部を閉塞するときに、スライド板の先端縁および切欠き縁と通路の周壁とにより、あるいはスライド板の切欠き縁と通路の周壁とにより通路の開放部が形成され、ダクト下部を移動する物体が前記開放部を通過しやすいようにしたのである。
【０００９】
すなわち、スライドダンパの設置位置をダクトの概ね水平な部分とするとともに、スライド板のスライド方向を概ね水平方向とし、スライド板の先端部の下側にその隅部を切り欠いた切欠きを設けることにより、通路の一部を閉塞して流量が少なくなるときに、ダクト下部を移動する物体が通路の開放部を通過しやすいようにして、輸送物体のダクト内での滞留を防止し、かつ、ダクトの上方に取付けスペースを不要とした。
【００１０】
前記スライド板の先端側を、前記通路と直交する面に対して、前記気体の流れ方向の下流側に傾けることにより、輸送物体が気体の流れとともにスライド板の先端側へ流れ、スライド板の先端側に形成される通路の開放部を通過して下流側へ流れやすくすることができる。
【００１１】
【発明の実施の形態】
以下、図１乃至図４に基づき、この発明の実施形態を説明する。図１乃至図３は第１の実施形態を示す。このスライドダンパは、図１に示すように、外向きの短管部１ａを有する２つのケース部材１の蓋板１ｂの間に矩形枠状のパッキン２を介して、縦の一辺が開放されたコの字形のスペーサ３を挟み込んだケースと、前記スペーサ３の内法とほぼ等しい矩形とされ、先端部の下側コーナを直線的に切り欠いた切欠き４ａが設けられ、スペーサ３の開放された一辺側から両側の蓋板１ｂの間に水平方向に挿入されるスライド板４とで構成されている。
【００１２】
図２および図３に示すように、前記各ケース部材１、各パッキン２およびスペーサ３はボルト５で一体的に結合され、各ケース部材１の短管部１ａの先端に設けられたフランジ１ｃが水平に配設されたダクト６に連結される。各ケース部材１の短管部１ａは、その断面がダクト６の断面と同一形状に形成されている。
【００１３】
前記スライド板４は、止めボルト７によりその挿入位置を固定されており、止めボルト７を緩めてその後端部に設けられた把持部４ｂを押し引くことにより、両側のパッキン２の間に枠幅の狭いスペーサ３が挟まれて形成されるコの字断面に案内されて、ケース内を水平方向にスライドする。スライド板４の先端部で通路の一部が閉塞されるときには、スライド板４の先端縁および切欠き４ａ縁と通路の周壁としての短管部１ａ内周面とにより、あるいはスライド板４の切欠き４ａ縁と短管部１ａ内周面とにより通路の開放部８が形成され、輸送物体がこの開放部８を通って下流側へ流れるようになっている。
【００１４】
なお、このスライドダンパは、ケースがスライド板４の先端側に長く形成されており、切欠き４ａが通路に重ならない位置までスライド板４を前進させて、通路を全閉できるようになっている。
【００１５】
図４は第２の実施形態を示す。このスライドダンパは、ケース部材９、１０のそれぞれの蓋板９ｂ、１０ｂを、短管部９ａ、１０ａと直交する面に対してスライド板４の先端側が図中に矢印で示す気体の流れ方向の下流側に傾くように形成したものである。その他の部分の構成は、第１の実施形態のスライドダンパと同じである。
【００１６】
上述した実施形態では、スライド板先端部の下側コーナを直線的に切り欠いたが、曲線的など、種々の形態に切り欠いてもよい。また、設置する位置はダクトの水平部分としたが、若干傾斜した部分に設置することもできる。さらに、スライド板は必ずしも垂直に配置する必要はなく、垂直面に対して傾けて配置してもよい。
【００１７】
【発明の効果】
以上のように、この発明のスライドダンパは、その設置位置をダクトの概ね水平な部分とし、スライド板のスライド方向を概ね水平方向として、スライド板先端部の下側コーナ部に切欠きを設けたものであるから、通路の一部を閉塞して流量が少なくなるときに通路の下部を開放して、輸送物体のダクト内での滞留を防止し、かつ、ダクトの上方に取付けスペースを不要とすることができ、天井付近のダクトをより天井に近接させて、建屋内の有効な空間を広げることができる。
【００１８】
また、前記スライド板の先端側を、通路と直交する面に対して、気体の流れ方向の下流側に傾けることにより、輸送物体が気体の流れとともにスライド板の先端側へ流れ、スライド板の先端側に形成される通路の開放部を通過して下流側へ流れやすくすることができる。
【図面の簡単な説明】
【図１】第１の実施形態のスライドダンパの分解斜視図
【図２】図１のスライドダンパの正面図
【図３】図２の平面断面図
【図４】第２の実施形態のスライドダンパの平面断面図
【図５】従来のスライドダンパを示す縦断面図
【図６】図５のＶＩ−ＶＩ線に沿った断面図
【符号の説明】
１  ケース部材
１ａ  短管部
１ｂ  蓋板
１ｃ  フランジ
２  パッキン
３  スペーサ
４  スライド板
４ａ  切欠き
４ｂ  把持部
５  ボルト
６  ダクト
７  止めボルト
８  開放部
９  ケース部材
９ａ  短管部
９ｂ  蓋板
１０  ケース部材
１０ａ  短管部
１０ｂ  蓋板
【図１】
0003621015.tif 000002
【図２】
0003621015.tif 000003
【図３】
0003621015.tif 000004
【図４】
0003621015.tif 000005
【図５】
0003621015.tif 000006
【図６】
0003621015.tif 000007